(57)【要約】【課題】従来と同等のパスワード等の秘匿情報の管理が可能でありながら、低コストであり、後始末が簡単で、安全性も高く、小ロットの印刷物に対応でき、しかも、カードと台紙とのマッチング作業が不要で利便性が高くなる台紙一体型カードを提供する。【解決手段】台紙一体型カード１０は、略全面が接着剤層１３によって貼り合わせられた第１及び第２のシート状基材１１、１２と、第１のシート状基材１１の一部に略カード形状に分離して、剥離層１４によって剥がし取れるように形成されたカード形状部２０などとを備え、カード形状部２０は、そのカード形状部２０の貼り合せ面側に秘匿情報表示部２１が設けられており、その秘匿情報表示部２１には、英数字からなるパスワード２２などが印刷されている。また、外部からパスワード２２が判読しにくくなるよう、秘匿情報表示部２０を隠蔽する隠蔽層１５及び隠蔽地紋層１６などと備えている。【選択図】図１
2005169983.tif 000002
【特許請求の範囲】
【請求項１】
略全面が貼り合わせられた第１及び第２のシート状基材と、
前記第１又は第２のシート状基材の少なくとも一部に、略カード形状に分離して剥がし取れるように形成されたカード形状部と、
前記カード形状部の貼り合せ面側に設けられた秘匿情報表示部と、
前記第１及び／又は第２のシート状基材の内面及び／又は外面であって、前記秘匿情報表示部に対応する部分に形成され、前記秘匿情報表示部を隠蔽する隠蔽層と、
を備えた台紙一体型カード。
【請求項２】
請求項１に記載の台紙一体型カードにおいて、
前記カード形状部を分離する区切線を備え、
前記区切線は、短辺側、長辺側の少なくとも一方側の少なくとも一部にミシン目が形成され、他方側がカット線であること、
を特徴とする台紙一体型カード。
【発明の詳細な説明】
【技術分野】
【０００１】
本発明は、携帯電話や国際電話向けの料金別納方式のカード（以下、電話カードと呼ぶ）などに好適な台紙一体型カードに関するものである。
【背景技術】
【０００２】
従来、この種の電話カードは、携帯電話や国際電話の通話料金を別納できるカードとして販売されている。その用途としては、例えば、（１）電話料金を抑えたい場合（子供の電話料金を親が管理したい）、（２）通話料のプレゼント（遠距離恋愛や単身赴任で別居した家族）、（３）従来の『テレフォンカード』に似た記念品、といったものが多い。
【０００３】
携帯電話で利用する場合の代表的な仕組としては、以下のとおりである。
ｉ．電話カードをコンビニ等で購入する。
ｉｉ．購入した電話カードの一部に設けられたスクラッチ部分を削り取る。
ｉｉｉ．スクラッチ部分に設けられたパスワードを読み取る。
ｉｖ．携帯電話で所定の電話番号に電話をかける。
ｖ．音声案内等に従って、今回通話料金を充当させたい電話番号を指定する。
ｖｉ．続いて、読み取られたパスワードを入力する。
ｖｉｉ．手続き完了。
【０００４】
パスワードと入金金額は、完全に紐付け（関連づけ）されているため、これだけでそのカードが５００円の通話料金を有するカードなのか、３０００円のカードなのか、といったことが判別可能になっている。
【０００５】
つまり、この電話カードは、パスワードさえ入力してしまえば、すぐに利用できるため、パスワードの管理がきわめて重要になる。例えば、電話カードを購入したユーザが手続きをした段階で『無効』とされてしまったら、大問題となる。
【０００６】
そこで、この電話カードは、一般にパスワード部分にはスクラッチ層と呼ばれる銀インキを主体とする隠蔽層でパスワードを保護している（例えば、特許文献１）。この理由は、外部からパスワードが盗み見られないようにするためである。特に、消費者の利便性を高めるために、電話カードは、コンビニ等で取り扱っている場合が多く、コンビニでアルバイトしている店員がいたずら半分で盗み見たりできないようにすることが事業者として要求される。
【０００７】
このスクラッチ層を有する通称スクラッチカードは、ファストフード店やコンビニ店等のキャンペーンや、インスタント宝くじで利用されているが、積層した複雑な印刷加工工程を経るために総じてコストが高いという課題があった。
【０００８】
また、スクラッチカードは、スクラッチして隠蔽インキを削る取る消費者側にとっても、粉状に削り取れるために、室内に散らかってしまい、後始末や安全性に課題があった。
【０００９】
さらに、スクラッチカードは、プラスチック（ＰＥＴ）やグロスコート紙等、表面が平滑なシートを基材に選定する場合が多く、コストアップ要因となるうえ、トナーを使用したＯＡプリンタでは印字やトナー定着が困難であり、結果的に印刷機での対応とならざるを得ないことから、小ロット対応は難しく、キャンペーン用途では大規模なものに限定されていた。
【００１０】
一方、クレジットカード等は、カードの隅部を着脱可能に挿入支持する支持孔が形成されたカード送付台紙に挟んで送付されていた（例えば、特許文献２）。この電話カードの場合も、前記カード送付台紙に類似した台紙が電話カードとは別々に用意されていたため、コンビニ等の販売所では、その作業に手間がかかっていた。
【特許文献１】特開平１０−２１４３２０号公報
【特許文献２】特開平７−２２８０７９号公報
【発明の開示】
【発明が解決しようとする課題】
【００１１】
本発明の課題は、従来と同等のパスワード等の秘匿情報の管理が可能でありながら、低コストであり、後始末が簡単で、安全性も高く、小ロットの印刷物に対応でき、しかも、カードと台紙とのマッチング作業が不要で利便性が高くなる台紙一体型カードを提供することである。
【課題を解決するための手段】
【００１２】
前記課題を解決するために、請求項１の発明は、略全面が貼り合わせられた第１及び第２のシート状基材（１１、１２）と、前記第１又は第２のシート状基材の少なくとも一部に、略カード形状に分離して剥がし取れるように形成されたカード形状部（２０）と、前記カード形状部の貼り合せ面側に設けられた秘匿情報表示部（２１）と、前記第１及び／又は第２のシート状基材の内面及び／又は外面であって、前記秘匿情報表示部に対応する部分に形成され、前記秘匿情報表示部を隠蔽する隠蔽層（１５、１６）と、を備えた台紙一体型カードである。
【００１３】
請求項２の発明は、請求項１に記載の台紙一体型カードにおいて、前記カード形状部を分離する区切線（３０）を備え、前記区切線は、短辺側、長辺側の少なくとも一方側の少なくとも一部にミシン目（３１）が形成され、他方側がカット線（３２）であること、を特徴とする台紙一体型カードである。
【発明の効果】
【００１４】
以上説明したように、本発明によれば、以下のような効果がある。
（１）従来と同等の秘匿情報の管理が可能でありながら、スクラッチ方式でないので、低コストであり、後始末が簡単で、安全性も高い。
（２）第１及び第２のシート状基材に簡単に印字できるので、小ロットの印刷物に対応できる。
（３）第１又は第２のシート状基材の一部からカード形状部を剥がし取れるようにしたので、カード形状部と台紙となる第１又は第２のシート状基材とのマッチング作業が不要で利便性が高くなった。
【発明を実施するための最良の形態】
【００１５】
本発明は、低コストであり、後始末が簡単で、安全性も高く、小ロットの印刷物に対応でき、しかも、カードと台紙とのマッチング作業が不要で利便性が高くなるという目的を、カード形状部を第１又は第２のシート状基材の少なくとも一部から、略カード形状に分離して剥がし取れるように形成することによって実現する。
【実施例１】
【００１６】
以下、図面等を参照して、本発明の実施例をあげて、さらに詳しく説明する。
図１は、本発明による台紙一体型カードの実施例１を示す図である。
実施例１の台紙一体型カード１０は、略全面が接着剤層１３によって貼り合わせられた第１及び第２のシート状基材１１、１２と、第１のシート状基材１１の一部に略カード形状に分離して、剥離層１４によって剥がし取れるように形成されたカード形状部２０などとを備えている。
【００１７】
カード形状部２０は、そのカード形状部２０の貼り合せ面側に秘匿情報表示部２１が設けられており、その秘匿情報表示部２１には、英数字からなるパスワード２２などが印刷されている。
【００１８】
この台紙一体型カード１０は、第１のシート状基材１１からカード形状部２０を分離するミシン目やカット線などの区切線３０が形成されている。
この実施例では、区切線３０は、短辺側にミシン目３１が形成され、長辺側にカット線３２が形成されており、カード形状部２０を剥がし取りやすくしている。
【００１９】
また、台紙一体型カード１０は、外部からパスワード２２が判読しにくくなるよう、秘匿情報表示部２１を隠蔽する隠蔽層１５及び隠蔽地紋層１６などと備えている。
隠蔽層１５は、第１のシート状基材１１の内面であって秘匿情報表示部２１に対応する部分に形成され、隠蔽地紋層１６は、第２のシート状基材１２の外面であって、同様に、秘匿情報表示部２１に対応する部分に形成されている。隠蔽層１５は、例えば、Ａｌ粉を主体とする銀インキ、隠蔽地紋層１６は、例えば、藍、墨等の濃色インキによって印刷されている。
また、第２のシート状基材１２の外面には、カード管理用に目視可能な管理情報表示部１７が形成されている。さらに、第１のシート状基材（カード形状部２０以外の部分）１１とカード形状部２０には、バーコードＢＣ１、ＢＣ２などの機械読み取り可能な管理情報も表示されている。
この台紙一体型カード１０は、郵政公社又はこれに準ずる機関の定めるところの内国郵便約款又は郵便法において、『郵便はがき』とすることができる。
【００２０】
このように、実施例１によれば、従来と同等のパスワード２２の管理が可能でありながら、スクラッチ方式でないので、低コストであり、後始末が簡単で、安全性も高い。
また、第１及び第２のシート状基材１１、１２にＯＡプリンタなどによって、簡単に印字できるので、小ロットの印刷物（プライベートなプレゼント向けの名入れ、結婚式やゴルフコンペの記念品など）に対応できる。
さらに、第１のシート状基材１１の一部からカード形状部２０を剥がし取れるようにしたので、カードと台紙とのマッチング作業が不要で利便性が高くなった。
【実施例２】
【００２１】
図２は、本発明による台紙一体型カードの実施例２を示す図である。
なお、前述した実施例１と同様な機能を果たす部分には、同一の符号又は末尾に統一した符号を付して、重複する説明や図面を適宜省略する。
実施例２の台紙一体型カード１０−２は、第２のシート状基材１２―２が第１のシート状基材１１の略１／２の大きさであり、第２のシート状基材１２―２の略全面が接着剤層１３―２によって貼り合わされたものである。
また、管理情報表示部１７―２は、第１のシート状基材１１の裏面に形成されている。
【００２２】
剥離層１４―２は、実施例１では、第２のシート状基材１２側に形成されていたが、実施例２では、第１のシート状基材１１に形成されている。
剥離層が、カード側にある場合は、その部分には印字ができないので、印字予定部を抜いたパターン形状とする必要がある。この場合、印字した後で全面に剥離印刷をする必要があるため歩留が悪くなる可能性がある。例えば、ユニーク情報を印字した後で剥離印刷に失敗すると印字からやり直しになる。しかし、剥離印刷した部分は、滑りが良く、撥水性も良いので、汚れにくい利点がある。
一方、剥離層が、台紙側にある場合は、隠蔽情報（印字）が自由に形成でき、また、接着剤を適宜選定すればカードをはがした後で、二次記入や捺印が可能になる。なお、この場合には、剥離層を構成するシリコーンなどの剥離剤を適宜調整することが好ましい。
【００２３】
実施例２によれば、実施例１の効果に加えて、第２のシート状基材１２が少なくて済み、環境にやさしいものとなった。
【００２４】
（変形例）
以上説明した実施例に限定されることなく、種々の変形や変更が可能であって、それらも本発明の均等の範囲内である。
（１）隠蔽層は、パスワードが外部から判読しにくくなる位置であれば、パスワードの下層やパスワードを覆うもう一方のシートの内外いずれか一方の面でもよい。
（２）区切り線は、長辺側がミシン目で、短辺側がカット線であっていてもよい。
【図面の簡単な説明】
【００２５】
【図１】本発明による台紙一体型カードの実施例１を示す図である。
【図２】本発明による台紙一体型カードの実施例２を示す図である。
【符号の説明】
【００２６】
１０  台紙一体型カード
１１、１２  第１及び第２のシート状基材
１３  接着剤層
１４  剥離層
１５  隠蔽層
１６  隠蔽地紋層
１７  管理情報表示部
２０  カード形状部
２１  秘匿情報表示部
２２  パスワード
３０  区切線
３１  ミシン目
３２  カット線
【図１】
2005169983.tif 000003
【図２】
2005169983.tif 000004